(57)【要約】【課題】  撮影条件等を設定する操作に関し、より優れたユーザインターフェイスを実現させる。【解決手段】  ４つの撮影条件を、十字ボタンに合わせて十字型に表示部３０に一覧表示し、それとともに各撮影情報において今現在選択されている設定項目を表示する。そして、十字キーボタンの左右上下キーボタンのいずれかのキーボタンが操作されると、選択された撮影条件の設定項目Ｓ１〜Ｓ８を一覧表示する。左キーボタン１６Ｌもしくは右キーボタン１６Ｒが操作された場合、設定項目Ｓ１〜Ｓ８を表示部の上下方向に沿って一覧表示する。そして、上下キーボタンに対する操作に従い、選択されている設定項目のアイコン周りにフレームＦＢを表示する。【選択図】        図６
2006064737.tif 000002
【特許請求の範囲】
【請求項１】
表示部と、
撮影に関する複数のカメラ情報の中から特定のカメラ情報を選択するために操作される操作部材と、
選択されたカメラ情報における複数の設定項目をそれぞれ表示可能な表示手段とを備え、
前記操作部材が、複数の設定項目の配列に従い、第１の方向に沿って設定項目を順番に指定可能な第１の選択操作部材と、前記第１の方向とは逆の第２の方向に沿って設定項目を順番に指定可能であり、前記第１の選択操作部材と相対する第２の選択操作部材とを有し、
前記表示手段が、選択された設定項目を選択表示することを特徴とするカメラ。
【請求項２】
前記表示手段が、複数の設定項目を一覧表示し、選択された設定項目を他の設定項目と区別されるように表示することを特徴とする請求項１に記載のカメラ。
【請求項３】
前記操作部材が十字キーボタンであって、前記第１および第２の選択操作部材が上下キーボタンもしくは左右キーボタンであり、
前記表示手段が、前記十字キーボタンに合わせてカメラ情報を一覧表示するとともに、４つのキーボタンのうち操作されたいずれかのキーボタンに応じたカメラ情報の設定項目における複数の設定項目を、前記第１及び第２の選択操作部材の操作方向に対応する方向に沿って一覧表示し、
前記第１および第２の選択操作部材が、カメラ情報選択のため操作されたキーボタンに対して垂直方向に応じた上下キーボタンもしくは左右キーボタンであることを特徴とする請求項２に記載のカメラ。
【請求項４】
前記表示手段が、複数の設定項目の中で選択された設定項目のみを選択表示することを特徴とする請求項１に記載のカメラ。
【請求項５】
前記操作部材が十字キーボタンであって、前記第１および第２の選択操作部材が上下キーボタンもしくは左右キーボタンであり、
前記表示手段が、前記十字キーボタンに合わせてカメラ情報を一覧表示するとともに、４つのキーボタンのうち操作されたいずれかのキーボタンに応じたカメラ情報の設定項目を選択表示し、
前記第１および第２の選択操作部材が、カメラ情報選択のため操作されたキーボタンに対して垂直方向に応じた上下キーボタンもしくは左右キーボタンであることを特徴とする請求項４に記載のカメラ。
【請求項６】
前記操作部材が十字キーボタンであって、前記第１および第２の選択操作部材が上下キーボタンもしくは左右キーボタンであることを特徴とする請求項１に記載のカメラ。
【請求項７】
前記表示手段が、選択されたカメラ情報を文字情報で表示することを特徴とする請求項１に記載のカメラ。
【請求項８】
前記表示手段が、選択された設定項目を文字情報で表示することを特徴とする請求項１に記載のカメラ。
【請求項９】
前記カメラ情報が、撮影条件に関するものであることを特徴とする請求項１に記載のカメラ。
【請求項１０】
前記表示手段が、カメラ情報選択のため操作されたキーボタンに相対するキーボタンの操作に応じて、４つのカメラ情報を十字型に一覧表示することを特徴とする請求項３ないし５いずれかに記載のカメラ。
【発明の詳細な説明】
【技術分野】
【０００１】
本発明は、観察画像を液晶モニタ等の表示部に表示可能なカメラに関し、特に、十字キーボタンなどの操作に応じてホワイトバランス、画質等の撮影条件を画面上で選択させるための表示処理に関する。
【背景技術】
【０００２】
デジタルカメラ等のカメラでは、カメラ背面にＬＣＤなどの表示部が設けられている。そして、ホワイトバランス、ストロボ、コマ撮影などの撮影条件をユーザが設定変更可能であり、観察画像とともに設定されている撮影条件がアイコンによって表示される。例えば、シャッタスピード等の露出値が観察画像とともに表示部に表示され、十字キーボタン等の操作部材に対する操作に従い、露出値が選択、変更される（特許文献１参照）。ホワイトバランス、画質、ＩＳＯ感度等の撮影条件に対し、あらかじめ複数の設定項目があらかじめ用意されており、ユーザは設定したい項目を選択表示させるためボタン操作を行う。
【特許文献１】特開２００２−２８１３７３号公報
【発明の開示】
【発明が解決しようとする課題】
【０００３】
各設定項目を設定する場合、操作ボタンに対する操作に従って設定項目が順次切り替えられながら表示される。そのため、選択肢全体を俯瞰することができず、設定しない選択項目を表示するまでの操作ボタンの操作方向、操作回数を知ることができない。また、設定項目を選択している間の操作は一方向に順送りするトグル操作であるため、一度操作ミスをすると、正しい設定項目に戻すために一巡させるボタン操作をしなければならない。
【課題を解決するための手段】
【０００４】
本発明のカメラは、表示部と、撮影に関する複数のカメラ情報の中から特定のカメラ情報を選択するために操作される操作部材と、選択されたカメラ情報における複数の設定項目をそれぞれ表示可能な表示手段とを備える。ここでカメラ情報は、撮影に関するものであってユーザが選択できる情報を意味し、ホワイトバランス、画質、彩度、ＩＳＯ感度、ストロボ撮影等、撮影機能、撮影条件などを示す。設定項目としては、例えばＩＳＯ感度の場合、ＩＳＯ感度の値が複数の中から選択可能であり、ホワイトバランスの場合、デーライト、蛍光灯など複数の照明光の中から撮影場所に応じた明るさ、照明に応じたものが選択される。操作部材としては、例えば十字キーボタンが適用される。
【０００５】
本発明のカメラでは、操作部材は、複数の設定項目の配列に従い、第１の方向に沿って設定項目を順番に指定可能な第１の選択操作部材と、第１の方向とは逆の第２の方向に沿って設定項目を順番に指定可能であり、第１の選択操作部材と相対する第２の選択操作部材とを有する。例えば十字キーの場合、上下キーボタンあるいは左右キーボタンである。そして、表示手段は、選択された設定項目を選択表示する。ここで選択表示とは、選択されていることをユーザに示すための表示を意味する。例えば、文字情報やアイコンで表される選択項目に対し、選択されている設定項目の周りを囲む表示を行えばよい。ユーザは、設定項目を選択する際、選択する設定項目を２つの操作部材によって双方向に順次切り替えることができる。
【０００６】
例えば、第表示手段は、複数の設定項目を一覧表示し、選択された設定項目を他の設定項目と区別されるように表示する。操作部材が十字キーボタンである場合、表示手段は、十字キーボタンに合わせてカメラ情報を一覧表示するとともに、４つのキーボタンのうち操作されたいずれかのキーボタンに応じたカメラ情報の設定項目における複数の設定項目を、第１及び第２の選択操作部材の操作方向に対応する方向に沿って一覧表示すればよい。例えば十字の４つの先端位置に合わせて、４つのカメラ情報が表示される。このとき、第１および第２の選択操作部材が、カメラ情報選択のため操作されたキーボタンに対して垂直方向に応じた上下キーボタンもしくは左右キーボタンになる。この場合、表示手段が、カメラ情報選択のため操作されたキーボタンに相対するキーボタンの操作に応じて、元の表示、すなわち４つのカメラ情報を十字型に一覧表示すればよい。
【０００７】
あるいは、表示手段は、複数の設定項目の中で選択された設定項目のみを選択表示するようにしてもよい。十字キーボタンの場合、表示手段が、十字キーボタンに合わせてカメラ情報を一覧表示するとともに、４つのキーボタンのうち操作されたいずれかのキーボタンに応じたカメラ情報の設定項目を選択表示すればよい。
【０００８】
選択されたカメラ情報をユーザに知らせるため、選択されているカメラ情報を文字情報で表示するのが好ましい。
【発明の効果】
【０００９】
本発明によれば、撮影条件等を設定する操作に関し、より優れたユーザインターフェイスが実現する。
【発明を実施するための最良の形態】
【００１０】
以下、図面を参照して本発明の実施形態であるカメラについて説明する。
【００１１】
図１は、第１の実施形態であるデジタルスチルカメラの背面図である。
【００１２】
デジタルスチルカメラ１０の背面１０Ｂには、ユーザによって操作される一連のボタン等が設けられており、ここでは、ズームレバー１２、上キーボタン１６Ｕ、下キーボタン１６Ｄ、右キーボタン１６Ｒ、左キーボタン１６Ｌから構成される十字キーボタン１６、実行ボタン１８、ファンクションボタン２０が配置されている。さらに背面１０Ｂには、被写体像を動画／静止画として表示するとともに、文字情報や記号、図形といったキャラクタ情報を表示可能な液晶の表示部３０が設けられている。表示部３０の上にはファインダ窓２２が設置されている。
【００１３】
カメラ上面１０Ｕには、メインスイッチボタン１１、レリーズボタン１３が設けられている。レリーズボタン１３の操作によって被写体像が記録されるとともに、メインスイッチボタン１１に対する操作により、カメラが起動／動作終了する。
【００１４】
図２は、カメラ１０のブロック図である。
【００１５】
ＣＰＵを含むシステムコントロール回路５０はデジタルスチルカメラ１０の動作を制御し、メインスイッチ１１Ａ、ズームスイッチ１２Ａ、レリーズ半押しスイッチ１３Ａ、レリーズ全押しスイッチ１３Ｂ、選択スイッチ１６Ａ、実行スイッチ１８Ａなどがシステムコントロール回路５０に接続されている。
【００１６】
撮影モードが設定されている場合、撮影する被写体を表示部３０に動画像として表示するための信号処理が施される。撮影光学系１５によって被写体像がＣＣＤ４０の受光面に形成されると、被写体像に応じたアナログ画像信号が発生する。ＣＣＤ４０はＣＣＤ駆動回路５２によって駆動されており、画像信号はＣＣＤ４０から読み出されてアンプ回路４２へ送られる。ＣＣＤ４０から読み出された画像信号がアンプ回路４２において増幅処理されると、Ａ／Ｄ変換器４４において、アナログの画像信号がデジタルの画像信号に変換され、画像処理回路４６に送られる。
【００１７】
画像処理回路４６では、ホワイトバランス、ガンマ補正処理などの様々な信号処理がデジタル画像信号に対して施される。処理された画像信号は、一度フレームメモリ（図示せず）に格納された後、ＬＣＤドライバ４７へ送られる。ＬＣＤドライバ４７では、送られてきた画像信号に基づき、液晶表示部３０を制御する。これにより、被写体像が液晶表示部３０に動画像として表示される。
【００１８】
被写体を撮影するためにレリーズボタン１３が半押しされると、レリーズ半押しスイッチ１３ＡがＯＮ状態となって半押し操作が検出され、カメラ前面に設けられた露出検出器６３において被写体の明るさ、被写体との距離などが検出される。レリーズボタン１３がさらに全押しされると、レリーズ全押しスイッチ１３ＢがＯＮ状態となって全押し操作が検出される。そして、焦点調整のために撮影光学系１５内のフォーカスレンズがレンズ駆動回路６４によって駆動されるとともに、システムコントロール回路５０から出力される制御信号に基いて、シャッタ２８が所定の開度で所定期間だけ開く。レンズ駆動回路６４、シャッタ２８は露出制御回路５８によって制御されており、システムコントロール回路５０からの制御信号に基いてシャッタ２８、撮影光学系１５が駆動される。
【００１９】
被写体像に応じた画像信号がＣＣＤ４０から読み出されると、アンプ回路４２、Ａ／Ｄ変換器４４、画像処理回路４６において画像信号が処理されるとともに、システムコントロール回路５０を介して記録制御回路６２へ送られる。記録制御回路６２では、画像信号に対して圧縮処理が施され、圧縮された画像信号はメモリカード６０に記録される。
【００２０】
再生モードが選択された場合、システムコントロール回路５０において再生モード選択が検出される。そして、メモリカード６０から圧縮された画像信号が読み出され、記録制御回路６２において伸張処理されると、画像信号が画像処理回路４６を介してＬＣＤドライバ４７へ送られる。ＬＣＤドライバ４７では、送られてきた画像信号に基いて表示部３０を制御し、これにより、記録された被写体像が液晶表示部３０に再生表示される。画像情報メモリ６１には、撮影条件などの撮影情報の項目などがデータとして記憶されている。
【００２１】
ファンクションボタン２０が操作されると、後述するように、システムコントロール回路５０はファンクションスイッチからの信号を検出し、複数の撮影条件を動画像とともに一覧表示する。さらに、選択設定する撮影条件が決定されると撮影条件を設定する画面表示になるように、システムコントロール回路５０から画像処理回路４６へ制御信号が送られる。画像処理回路４６では、送られてきた制御信号に基づき、所定の位置に文字情報、アイコン等のキャラクタ情報が表示されるように画像信号が処理される。これにより、文字情報、アイコン等が表示部３０に表示される。選択設定画面において十字キーボタン１６が操作されると、システムコントロール回路５０は、選択スイッチ１６Ａから送られてくる信号を検出し、検出した信号に基づき、画像処理回路へ制御信号を出力する。
【００２２】
図３は、撮影条件の選択処理を示したフローチャートである。図４は、４つの撮影条件の中から特定の撮影条件を選択設定する画面を示した図である。ファンクションボタン２０が押下されると、選択処理が開始される。
【００２３】
ファンクションボタン２０が押下されると、ホワイトバランスＷ１、ストロボ撮影Ｗ２、ＩＳＯ感度Ｗ３、コマ撮影、インターバル撮影など時系列に展開される撮影方法Ｗ４といった撮影機能がアイコン、文字情報等によって表示部３０に表示される（図４参照）。４つの撮影機能Ｗ１〜Ｗ４は、十字キーボタン１６に合わせて十字型に（十字の各先端位置に対応するように）一覧表示されており、各撮影情報における一連の設定項目の中で今現在選択されている設定項目がアイコンでさらに表示される。尚、撮影機能Ｗ１〜Ｗ４は表示しないように構成してもよい。
【００２４】
ステップＳ１０１では、左キーボタン１６Ｌが押下されたか否かが判断される。左キーボタン１６Ｌが押下されたと判断されると、ステップＳ１０２へ進み、ホワイトバランスに関する撮影条件の設定処理が実行される。一方、左キーボタン１６Ｌが押下されていないと判断された場合、ステップＳ１０３へ進む。
【００２５】
ステップＳ１０３では、下キーボタン１６Ｄが押下されたか否かが判断される。下キーボタン１６Ｄが押下されたと判断されると、ステップＳ１０４へ進み、ストロボ撮影に関する撮影条件の設定処理が実行される。一方、下キーボタン１６Ｄが押下されていないと判断された場合、ステップＳ１０５へ進む。
【００２６】
ステップＳ１０５では、右キーボタン１６Ｒが押下されたか否かが判断される。右キーボタン１６Ｒが押下されたと判断されると、ステップＳ１０６へ進み、ＩＳＯ感度に関する撮影条件の設定処理が実行される。一方、右キーボタン１６Ｒが押下されていないと判断された場合、ステップＳ１０７へ進む。
【００２７】
ステップＳ１０７では、上キーボタン１６Ｕが押下されたか否かが判断される。上キーボタン１６Ｕが押下されたと判断されると、ステップＳ１０８へ進み、撮影方法に関する撮影条件の設定処理が実行される。一方、右キーボタン１６Ｒが押下されていないと判断された場合、ステップＳ１０９へ進む。
【００２８】
ステップＳ１０９では、ファンクションボタン２０あるいは実行ボタン１８が押下されることによって撮影条件の設定モードが終了されたか否かが判断される。ファンクションボタン２０あるいは実行キーボタン１８が押下されたと判断されると、選択処理は終了する。一方、ファンクションボタン２０、実行キーボタン１８が押下されていないと判断された場合、ステップＳ１０１へ戻る。
【００２９】
図５は、図３のステップＳ１０２のサブルーチンを示した図である。図６は、ホワイトバランスの選択設定画面を示した図である。
【００３０】
図６に示すように、ホワイトバランスの設定画面表示が決定されると、８つの全設定項目Ｓ１〜Ｓ８がアイコンとして画面の上下方向に沿って表示されるように表示処理がサブルーチン処理開始と同時に実行される。すなわち、先に操作された左キーボタン１６Ｌの操作方向に対し垂直な方向に沿って表示される。ここでは、自動ホワイトバランスＳ１、デーライト用ホワイトバランスＳ２、・・・など８つのホワイトバランスの仕様を設定することが可能であり、撮影場所等を考慮してホワイトバランスが設定される。また、選択されている設定項目をユーザに示すため、その選択されている設定項目のアイコン周りを囲むように、フレームＦＢが表示される。図６では、自動設定するオートホワイトバランスが選択されている。
【００３１】
また、現在選択している撮影条件をユーザに知らせるため、「ホワイトバランス」と文字情報Ｋ１が表示される。それとともに、現在選択されている、すなわちフレームＦＢによって囲まれている設定項目が文字情報Ｋ２として表示される。ここでは、「オート」と表示される。
【００３２】
ステップ２０１では、上キーボタン１６Ｕが押下されたか否かが判断される。上キーボタン１６Ｕが操作されたと判断されると、ステップＳ２０２へ進み、フレームＦＢで囲まれていたアイコンに隣接する上側のアイコンへ向けてフレームＦＢが移動する。すなわち、選択される設定項目が上キーボタン１６Ｕの押下によって一つ上側にある設定項目へ移動する。ただし、一番上にフレームＦＢが表示されていた場合、一番下の設定項目へ移動する。ステップＳ２０２が実行されると、ステップＳ２０３へ進む。
【００３３】
ステップＳ２０３では、選択されている設定項目に決定するため、実行ボタン１８が押下されたか否かが判断される。実行ボタン１８が押下されたと判断されると、ステップＳ２０４へ進み、設定項目Ｓ１〜Ｓ８のうち選択されていた設定項目がホワイトバランスの仕様として設定される。ステップＳ２０４が実行されると、サブルーチンは終了する。一方、ステップＳ２０３において実行ボタン１８が押下されていないと判断された場合、ステップＳ２０１へ戻る。
【００３４】
一方、ステップＳ２０１において上キーボタン１６Ｕが押下されていないと判断された場合、ステップＳ２０５へ進み、下キーボタン１６Ｄもしくは左キーボタン１６Ｌが押下されたか否かが判断される。下キーボタン１６Ｄもしくは左キーボタン１６Ｌが押下されたと判断された場合、ステップＳ２０６へ進み、フレームＦＢで囲まれていたアイコンの隣接する下側のアイコンへフレームＦＢが移動する。すなわち、選択される設定項目が下キーボタン１６Ｄもしくは左キーボタン１６Ｌの押下によって一つ下側に移動する。なお、ここでの左キーボタン１６Ｌの操作は、下方向のみにフレームＦＢを順次移動させる操作である。
【００３５】
ステップＳ２０７、Ｓ２０８の実行は、ステップＳ２０３、Ｓ２０４の実行と同じであり、実行ボタン１８が押下されたか否かが判断され、実行ボタン１８が押下されたと判断されると、設定項目Ｓ１〜Ｓ８のうち選択されていた設定項目がホワイトバランスモードとして設定される。ステップＳ２０８が実行されると、サブルーチンは終了する。
【００３６】
一方、ステップＳ２０５において、下キーボタン１６Ｄもしくは左キーボタン１６Ｌが押下されていないと判断された場合、ステップＳ２０９へ進む。ステップＳ２０９では、図４に示す画面に戻るために右キーボタン１６Ｒが押下されたか否かが判断される。右キーボタン１６Ｒが押下されたと判断されると、サブルーチンは終了する。一方、右キーボタン１６Ｒが押下されていないと判断された場合、ステップＳ２０７へ移る。
【００３７】
図７は、図３のステップＳ１０４のサブルーチンである。図８は、ストロボ撮影の選択設定画面を示した図である。
【００３８】
図８に示すように、ホワイトバランスの設定画面表示が決定されると、サブルーチン処理開始と同時に、４つの全設定項目Ｔ１〜Ｔ４がアイコンとして画面の左右方向に沿って表示されるように表示処理が実行される。ここでは、オートストロボＴ１、強制発光Ｔ２、・・・など４つのストロボ撮影の仕様を設定することが可能であり、撮影場所等を考慮してストロボ撮影方法が設定される。また、選択されている設定項目のアイコン周りにフレームＦＢが表示される。図８では、自動ストロボ撮影するオートストロボが選択されている。
【００３９】
また、現在選択している撮影条件をユーザに知らせるため、「ストロボ」と文字情報Ｌ１が表示される。それとともに、現在選択されている、すなわちフレームＦＢによって囲まれている設定項目が文字情報Ｌ２として表示される。ここでは、「オート」と表示される。
【００４０】
ステップ３０１では、左キーボタン１６Ｌが押下されたか否かが判断される。左キーボタン１６Ｌが操作されたと判断されると、ステップＳ３０２へ進み、フレームＦＢで囲まれていたアイコンに隣接する左側のアイコンへフレームＦＢが移動する。すなわち、選択される設定項目が左キーボタン１６Ｌの押下によって一つ左側に移動する。ステップＳ３０２が実行されると、ステップＳ３０３へ進む。
【００４１】
ステップＳ３０３では、選択されている設定項目に決定するため、実行ボタン１８が押下されたか否かが判断される。実行ボタン１８が押下されたと判断されると、ステップＳ２０４へ進み、設定項目Ｔ１〜Ｔ４のうち選択されていた設定項目がストロボ撮影方法として設定される。ステップＳ３０４が実行されると、サブルーチンは終了する。一方、ステップＳ３０３において実行ボタン１８が押下されていないと判断された場合、ステップＳ３０１へ戻る。
【００４２】
一方、ステップＳ３０１において左キーボタン１６Ｌが押下されていないと判断された場合、ステップＳ３０５へ進み、右キーボタン１６Ｒもしくは下キーボタン１６Ｄが押下されたか否かが判断される。右キーボタン１６Ｒもしくは下キーボタン１６Ｄが押下されたと判断された場合、ステップＳ３０６へ進み、フレームＦＢで囲まれていたアイコンに隣接する右側のアイコンへフレームＦＢが移動する。すなわち、選択される設定項目が右キーボタン１６Ｕ又は下キーボタン１６Ｄの押下によって一つ右側に移動する。なお、ここでの下キーボタン１６Ｄの操作は、下方向のみにフレームＦＢを順次移動させる操作である。
【００４３】
ステップＳ３０７、Ｓ３０８の実行は、ステップＳ３０３、Ｓ３０４の実行と同じであり、実行ボタン１８が押下されたか否かが判断され、実行ボタン１８が押下されたと判断されると、設定項目Ｔ１〜Ｔ４のうち選択されていた設定項目がストロボ撮影方法として設定される。ステップＳ３０８が実行されると、サブルーチンは終了する。
【００４４】
一方、ステップＳ３０５において、右キーボタン１６Ｌもしくは下キーボタン１６Ｄが押下されていないと判断された場合、ステップＳ３０９へ進む。ステップＳ３０９では、図４に示す画面に戻るために上キーボタン１６Ｕが押下されたか否かが判断される。上キーボタン１６Ｕが押下されたと判断されると、サブルーチンは終了する。一方、上キーボタン１６Ｕが押下されていないと判断された場合、ステップＳ３０７へ移る。
【００４５】
図９は、ＩＳＯ感度の選択設定画面を示した図である。
【００４６】
図９に示すように、ＩＳＯ感度の設定画面状態である場合、４つのＩＳＯ感度の値Ｕ１〜Ｕ４が数字によって画面の上下方向に沿って表示される。ここでは、２００、・・・、３２００の４つのＩＳＯ感度を設定することが可能であり、撮影する場所の明るさを考慮して設定される。選択されている設定項目の数値の周りには、フレームＦＢが表示され、図９では「２００」のＩＳＯ感度が選択されている。また、選択されている撮影条件がＩＳＯ感度であることをユーザに知らせるため、「ＩＳＯ感度」の文字情報Ｍ１が表示される。
【００４７】
図４に示す画面状態において右キーボタン１６Ｒが押下されると、ＩＳＯ感度の値を設定する画面に切り替えられる。そして、十字キーボタン１６および実行ボタン１８に対する操作によってＩＳＯ感度が設定される。ここでの設定処理は、図５に示す設定処理と同様に実行される。ただし、ステップＳ２０５における左キーボタン１６Ｌの代わりに右キーボタン１６Ｒの押下が判断され、ステップＳ３０９における右キーボタン１６Ｒの代わりに左キーボタン１６Ｌの押下が判断される。
【００４８】
図１０は、撮影方法の選択設定画面を示した図である。
【００４９】
図１０に示すように、撮影方法の設定画面状態である場合、６つの撮影方法Ｖ１〜Ｖ６が、アイコンによって画面の左右方向に沿って表示される。ここでは、一コマ撮影Ｖ１、連続撮影Ｖ２、・・・など６つの撮影方法を設定することが可能であり、ユーザの意図に従って設定される。選択されている設定項目のアイコン周りには、フレームＦＢが表示される、図１０では１コマ撮影のアイコンが選択されている。また、選択されている撮影条件が撮影方法であることをユーザに知らせるため、「撮影方法」の文字情報Ｍ１が表示される。さらに、選択されている撮影条件が１コマ撮影であることをユーザに知らせるため、文字情報Ｎ２が表示される。
【００５０】
図４に示す画面状態において上キーボタン１６Ｕが押下されると、撮影方法を設定する画面に切り替えられる。そして、十字キーボタン１６および実行ボタン１８に対する操作によって撮影方法が設定される。ここでの設定処理は、図７に示す設定処理と同様に実行される。ただし、ステップＳ３０５における下キーボタン１６Ｄの代わりに上キーボタン１６Ｕの押下が判断され、ステップＳ３０９における上キーボタン１６Ｒの代わりに下キーボタン１６Ｕの押下が判断される。
【００５１】
以上のように本実施形態によれば、４つの撮影条件が十字ボタン１６に合わせて十字型に表示部３０に一覧表示され、それとともに各撮影情報において今現在選択されている設定項目が表示される。そして、十字キーボタン１６の左右上下キーボタン１６Ｌ、１６Ｒ、１６Ｕ、１６Ｄのいずれかのキーボタンが操作されると、選択された撮影条件の設定項目が一覧表示される。左キーボタン１６Ｌもしくは右キーボタン１６Ｒが操作された場合、設定項目は表示部３０の上下方向に沿って一覧表示され、上下キーボタン１６Ｕ、１６Ｄに対する操作に従い、選択された設定項目のアイコン周りにフレームＦＢが表示される。
【００５２】
十字キーの左右キーボタン１６Ｌ、１６Ｒあるいは上下キーボタン１６Ｕ、１６Ｄの操作に従い双方向に設定項目を順番に指定、選択できるため、選択設定が容易になり、選択を間違えて通り過ぎたとしても、すぐに元の設定項目へ戻ることができる。
【００５３】
また、複数の設定項目が表示されるとき、撮影情報を選択するために操作されたキーボタンの操作方向に対し垂直方向に沿って複数の設定項目が表示される。これにより、設定項目を双方向に沿って選択する操作、元の画面に戻る操作を独立して行うことが可能になり、より優れたユーザインターフェイスをもつカメラを実現できる。
【００５４】
次に、図１１を用いて、第２の実施形態であるカメラについて説明する。図１１は、第２の実施形態におけるＩＳＯ感度の選択設定画面を示した図である。
【００５５】
図１１に示すように、第２の実施形態では、撮影情報が選択されると、画面が切り替えられることなく、選択されている設定項目のアイコン周りにフレームＦＢが表示される。そして、選択時に操作されるキーボタンをユーザに知らせるため、上キーボタン１６Ｕに応じたマークＭＰ１、下キーボタン１６Ｄに応じたマークＭＰ２が表示される。また、選択されている撮影情報をユーザに知らせるため、文字情報Ｐ（図１１ではＩＳＯ感度）が表示される。一方、撮影方法、ストロボ撮影が撮影条件として選択された場合、左キーボタン１６Ｌ、右キーボタン１６Ｒに応じたマークが同様に表示される。それ以外の構成については、第１の実施形態と同じである。
【００５６】
上記の撮影条件以外のもの（例えば画質、彩度、記録圧縮率、コントラストなど）であって、ユーザが選択設定できるように複数の設定項目をもつカメラの撮影に関する撮影条件、撮影機能といった情報であればよい。また、カメラはコンパクト型カメラ以外のカメラにも適用可能である。さらに、操作部材としては、十字キーボタン１６以外の操作部材であって、対になっていて相対する操作方向を指定できる操作部材であればよい。
【図面の簡単な説明】
【００５７】
【図１】第１の実施形態であるデジタルスチルカメラの背面図である。
【図２】カメラのブロック図である。
【図３】撮影条件の選択処理を示したフローチャートである。
【図４】４つの撮影条件の中から特定の撮影条件を選択設定する画面を示した図である。
【図５】図３のステップＳ１０２のサブルーチンを示した図である。
【図６】ホワイトバランスの選択設定画面を示した図である。
【図７】図３のステップＳ１０４のサブルーチンである。
【図８】ストロボ撮影の選択設定画面を示した図である。
【図９】ＩＳＯ感度の選択設定画面を示した図である。
【図１０】撮影方法の選択設定画面を示した図である。
【図１１】第２の実施形態におけるＩＳＯ感度の選択設定画面を示した図である。
【符号の説明】
【００５８】
１０  カメラ
３０  表示部
４７  ＬＣＤドライバ
１６  十字キーボタン（操作部材）
１６Ｕ  上キーボタン
１６Ｄ  下キーボタン
１６Ｌ  左キーボタン
１６Ｒ  右キーボタン
Ｓ１〜Ｓ８  設定項目
【図１】
2006064737.tif 000003
【図２】
2006064737.tif 000004
【図３】
2006064737.tif 000005
【図４】
2006064737.tif 000006
【図５】
2006064737.tif 000007
【図６】
2006064737.tif 000008
【図７】
2006064737.tif 000009
【図８】
2006064737.tif 000010
【図９】
2006064737.tif 000011
【図１０】
2006064737.tif 000012
【図１１】
2006064737.tif 000013